Podtech/llm-jp-corpus-v4-ja_patent huggingface dataset:
(57)【要約】      （修正有）【課題】目が不自由な人でも左右の眉毛の形をきれいに整え、眉毛の長さおよび傾きならびにそれぞれの位置のバランスを良くするため位置を調整することができる眉毛描き用プレーとを提供する。【解決手段】プレート１上に、眉頭と眉尻の突端部となる箇所の基準点３，５を決め、それら基準点上のプレートの表と裏の両側に、指や肌でもわかるような突起や穴を形成し、プレートをずらしながら理想の位置に確定することができるように形成する。これにより、目の不自由な人でも簡単にきれいな眉を描くことができるようになる。【選択図】図２
0003163995.tif 000002
【実用新案登録請求の範囲】
【請求項１】
プレート上に描きたいと思う理想の眉毛の形をした開口部が形成され、その開口部の眉頭と眉尻の突端部となる箇所に基準点を設けるとともに、
それら基準点上のプレートの表と裏の両側に、指や肌でもわかるような突起や穴を形成することを特長とする眉毛描き用プレート。
【考案の詳細な説明】
【技術分野】
【００１】本考案は、眉毛描き用プレートに関する。
【背景技術】
【００２】  従来の眉毛描き用プレートは、特許文献１のように、眉毛描き用プレートと固定具を用いたものや、特許文献２のような、一対の眉型が長手方向に並んで型抜きされた帯状部材を用いたものがある。
【先行技術文献】
【特許文献】
【００３】
【特許文献１】  特願２００９−２８３３９１
【特許文献２】  特開０９−０７０３１８号公報
【考案の概要】
【考案が解決しようとする課題】
【００４】  眉毛描き用プレートについてその目的は、プレートに形成された描きたいと思う眉毛の形をした開口部を利用し、左右の眉毛の形をきれいに整え、眉毛の長さおよび傾きならびにそれぞれの位置のバランスを良くすることである。【００５】  そして、特許文献１のような、一枚のプレートを使用することで、簡単に眉毛の形を左右対象に整え、眉毛の長さおよび左右の眉毛の間隔や上下の位置並びに傾きをバランス良く確定し、きれいに描くことができ、さらに、固定具を使用することにより、使用者の両手が自由に使え、かつ長時間施術するのに便利なプレートが考えられた。【００６】  また、特許文献２のような、一対の眉型が長手方向に並んで型抜きされた帯状部材を用いたものがある。【００７】  しかし、目が不自由な人が従来のプレートや固定具を使用しても、その眉型の位置を調整することができず、その機能を十分に使いこなすことができない。【００８】  本考案はこのような従来の構成が有していた問題を解決しようとするものであり、目の不自由な人でも簡単に使用できるようにするものである。
【課題を解決するための手段】
【００９】  本考案は、上記目的を達成するために、眉毛描き用プレートに描きたいと思う理想の眉毛の形をした開口部が形成され、この開口部以外の部分に、左右の眉頭および眉尻の突端部の位置を決めるための基準点を設ける。【０１０】  そして、その基準点上のプレートの表と裏の両側に、指や肌でもわかるような突起や穴を設ける。
【考案の効果】
【０１１】  上述したように、プレート上に、眉頭の突端部となる箇所の基準点を決めることで、左右の眉毛の間隔および上下の位置をずれることなく理想の位置に確定することができる。【０１２】  さらに、プレート上に、眉尻の突端部となる箇所の基準点を決めることで、左右の眉毛の上下の位置のずれを防止できる。【０１３】  以上のように、本考案の眉毛描きプレートを使用することで、プレートの表と裏の両側に形成された指や肌でもわかるような突起や穴で示した基準点を基に、プレートを理想の位置に確定することができ、目の不自由な人でも簡単にきれいな眉を描くことができる。
【図面の簡単な説明】
【０１４】
【図１】  本考案の眉毛描き用プレートを示す平面図
【図２】  本考案の眉毛描き用プレートを示す平面図
【図３】  図２を長手方向側より見た側面図
【図４】  固定具をプレートに接続した図
【考案を実施するための形態】
【０１５】  プレート上に、左右の眉頭と眉尻の突端部となる箇所の基準点を決め、それら基準点上のプレートの表と裏の両側に、指や肌でもわかるような  突起や穴を形成し、プレートをずらしながら理想の位置に確定することができるような構造にし、目の不自由な人でも簡単にきれいな眉を描くことができる。
【実施例】
【０１６】  以下、本考案の実施の例を図１〜図４に基づいて説明する。図１においては、眉毛描き用プレート１に、描きたいと思う理想の眉毛の形をした開口部２が形成されている。また、プレート１には、眉頭の基準点３、および反対側の眉頭の基準点４、さらに、眉尻の基準点５が設けられている。それら基準点３、基準点４、および基準点５上のプレートの表と裏の両側に、指や肌でもわかるような  突起や穴を形成する。【０１７】  図２においては、眉毛描き用プレート１に、一対の描きたいと思う理想の眉毛の形をした開口部２が長手方向に並んで形成されている。また、プレート１には、眉頭の基準点３、および眉尻の基準点５がそれぞれの開口部２に接するように設けられている。それら基準点３および基準点５上のプレートの表と裏の両側に、指や肌でもわかるような  突起や穴を形成する。【０１８】  図３においては、図２を長手方向側より見た側面図であり、眉頭の基準点３および眉尻の基準点５は、その基準点上のプレートの表と裏の両側に、指や肌でもわかるような突起となっている。この突起により、使用者はプレート１の位置を理想の位置にずらしながら合わせることができる。なおこの突起は穴でもよく、使用者が指や肌でわかるようにする。【０１９】  図４（ａ）、（ｂ）おいては、固定具６をプレート１に接続し顔面に被着できるようにしたものである。この固定具を使用することにより、使用者の両手が自由に使え、プレート１の位置を理想の位置にずらしながら合わせることがしやすくなる。また、長時間施術するのに便利である。【０２０】  以上が本考案の実施の例であるが、上記説明した実施の例に限定されるものではなく、本考案の目的および効果を生じる範囲で必要に応じて適宜変更して実施することが可能である。
【符号の説明】
【０２１】１．  プレート            ２．開口部          ３．眉頭の基準点
４．反対側眉頭の基準点    ５．眉尻の基準点    ６．固定具
【図１】
0003163995.tif 000003
【図２】
0003163995.tif 000004
【図３】
0003163995.tif 000005
【図４】
0003163995.tif 000006
(57)【要約】      （修正有）【課題】厚着になることなく、胸部の傷あとを隠し、上に羽織る衣服の選択の幅を広げる女性用胸当てを提供する。【解決手段】一枚に仕立てられた前身ごろ上端にギャザーを設け、その上端の左右端に、ブラジャーなどの女性用下着のストラップ（肩紐）との係止具をそれぞれ設け、前身ごろ両脇にもブラジャーなどの女性用下着のベルト（アンダーバスト部分を胸部を一周する形で囲む細い帯）との係止具をそれぞれ設け、ブラジャーなどの女性用下着を上から覆う。【選択図】図２
0003164000.tif 000002
【実用新案登録請求の範囲】
【請求項１】
一枚に仕立てた前身ごろ上端にギャザーを設け、その上端の左右端に、ブラジャーなどの女性用下着の左右のストラップ（肩紐）との係止具をそれぞれ設け、前身ごろ両脇にもブラジャーなどの女性用下着のベルト（アンダーバスト部分を胸部を一周する形で囲む細い帯）との係止具をそれぞれ設け、ブラジャーなどの女性用下着を上から覆うことを特徴とする女性用胸当て
【請求項２】
両脇に設けた女性用下着のベルトとの係止具を各二つずつとしたことを特徴とする請求項１記載の女性用胸当て
【考案の詳細な説明】
【技術分野】
【０００１】  本願考案は、女性用胸当てに関するものである。
【背景技術】
【０００２】  薄着になる夏などでは、乳がんの手術などで胸部に傷あとなどがある女性は、極力その傷あとを隠すなど、衣服の選択に制限が課せられる。
しかも、夏の猛暑の時期などでは、胸部の傷あとなどを隠すため、重ね着をすれば、体温も上昇し、酷なものである。
特に、台所での洗いものなど、うつむいたときに、他人から胸部の傷あとが見えるのを気にするなど、気を使うことが多かった。【０００３】
【考案の開示】
【考案が解決しようとする課題】
【０００４】  本願考案は、重ね着することなく、胸部の傷あとを隠し、上に羽織る衣服の選択の幅を広げることにある。
【課題を解決するための手段】
【０００５】  本願考案は、上述の課題を解決するため、一枚に仕立てられた前身ごろ上端にギャザーを設け、その上端の左右端に、ブラジャーなどの女性用下着のストラップ（肩紐）との係止具をそれぞれ設け、前身ごろ両脇にもブラジャーなどの女性用下着のベルト（アンダーバスト部分を胸部を一周する形で囲む細い帯）との係止具をそれぞれ設け、ブラジャーなどの女性用下着を上から覆った。
【考案の効果】
【０００６】  本願考案は、女性用下着のストラップ及びベルトに係止する女性用胸当てであり、背面はなく、温度や湿度の高い夏などに着用しても快適に過すことができ、かつ乳がんの手術などの傷あとを隠すことができる。
【実施例】  以下、本願考案の実施例について、図面を用いながら説明する。【０００７】  図１は、本願考案の請求項１に係る実施例を示す裏面図である。
本実施例の女性用胸当て１の前身ごろ上端１１は、ゴムひもを通したり、通常の紐を通し、絞ることによりギャザーを寄せる。ギャザーを寄せるのは、うつむいたときに、傷あとを見えにくくするためである。
１２ないし１５は係止具であり、本実施例では、スナップを用いる。ブラジャーのストラップにも相方となるストラップが設けられる。スナップのほか、面ファスナーを係止具として用いることが可能である。
１２は、ブラジャーの左ストラップとの係止具であり、１３は、ブラジャー右ストラップとの係止具、１４は、ブラジャー左脇ベルトとの係止具、１５は、同右脇ベルトとの係止具である。【０００８】  図２は、図１の実施例の使用状態を示す平面図である。
ブラジャー２の破線部分は、本考案の女性用胸当て１に覆われている。
ブラジャー右ストラップ２１には、本考案に係る女性用胸当て１の右ストラップとの係止具１３の相方となる係止具が設けられる（図示せず）。
またブラジャー左ストラップ２２にも、本考案に係る女性用胸当て１の左ストラップとの係止具１２の相方となる係止具が設けられ、ブラジャー脇ベルト右側２３にも右脇ベルトとの係止具１５の相方となる係止具が、ブラジャー脇ベルト左側２４には左脇ベルトとの係止具１４の相方となる係止具が設けられる（いずれも図示せず）。
上記２１ないし２４に設けられた係止具（いずれも図示せず）に、相応する１２ないし１５の係止具（本図では図示せず）を係止することによりブラジャー２及び胸元を覆うことにより、乳がん手術などによる胸部の傷あとを隠すことができる。【０００９】  図３は、本考案の請求項１に係る他の実施例の使用状態を示す平面図である。本実施例の女性用胸当て１は、前身ごろ下端１８がＶ字形に裁断されている。ブラジャーのベルトより下まで胸元が開いた上着などを着用する場合のものである。【００１０】  図４は、本考案の請求項２に係る実施例を示す裏面図である。本実施例では、図１に示した請求項１に係る実施例の左脇ベルトとの係止具１４より下方に左脇ベルトとの第二係止具１６が、右脇ベルトとの係止具１５の下方に右脇ベルトとの第二係止具１７が設けられている。脇が大きく開いた上着などを着用する場合に脇部を係止を確実にし、脇に及ぶ傷あとを隠すものである。【００１１】  以上、本願考案の実施例を説明したが、本願考案は、上記実施例に限定されるものではなく、本願考案の趣旨を逸脱しない範囲内で種々の改良変形が可能なことは容易に推察できるものである。
【図面の簡単な説明】
【図１】  図１は、本考案の請求項１に係る実施例を示す裏面図である。
【図２】  図２は、図１の実施例の使用状態を示す平面図である。
【図３】  図３は、本考案の請求項１に係る他の実施例の使用状態を示す平面図である。
【図４】  図４は、本考案の請求項２に係る実施例を示す裏面図である。
【符合の説明】
１  胸当て
２  ブラジャー
１１  前身ごろ上端
１２  左ストラップとの係止具
１３  右ストラップとの係止具
１４  左脇ベルトとの係止具
１５  右脇ベルトとの係止具
１６  左脇ベルトとの第二係止具
１７  右脇ベルトとの第二係止具
１８  前身ごろ下端
２１  ブラジャー右ストラップ
２２  ブラジャー左ストラップ
２３  ブラジャー脇ベルト右側
２４  ブラジャー脇ベルト左側
【図１】
0003164000.tif 000003
【図２】
0003164000.tif 000004
【図３】
0003164000.tif 000005
【図４】
0003164000.tif 000006
(57)【要約】      （修正有）【課題】爪切りにおいて、変形した足の爪や巻き爪などにあっても、刃の間隔を調整できる様にして、怪我無く安全に爪を切ることができる介護用広口調節爪切りを提供する。【解決手段】介護用広口調整爪切りは、相手の爪を確認し、次に爪切り切断部の刃２−１、２−２の上下間に入るように調整ナット３を回すが、薄い爪には右に、厚い爪には左にゆるめるように回して合わせる。そしてアーム７を介護用広口調整爪切り本体１に近づければ爪切りバネ板上方５が下がりテコにより中央シャフト４が上方に上がり、上下の刃が合って爪が切れる。【選択図】図１
0003163991.tif 000002
【実用新案登録請求の範囲】
【請求項１】
本考案の介護用広口調整爪切りは、切断部の上下の刃の間隔を、調整ナットにより任意に広げたり狭めたりする事が可能で、上下の刃の大きな間隔は老人などの変形した厚みのある爪を、また上下の刃の小さな間隔には従来の爪切りとしても使用可能としたもので、総ての厚みのある爪の使用に適するようにした介護用広口調整爪切り。
【考案の詳細な説明】
【技術分野】
【０００１】  本考案は、高齢者に多い足の爪の変形、水虫、巻き爪などの爪切りに関するもので、爪の切断に対して怪我が無く安全に爪を切ることにある。
【背景技術】
【０００２】  従来の爪切りでは老人の足の爪が変形して厚さを増し、刃の隙間に入らないので爪が切れず、ハサミやニッパー様のもので爪を切っていた。
【考案の開示】
【考案が解決しようとする課題】
【０００３】  そこで、従来の爪切りでは、老人の爪に対して刃の隙間が狭いため、爪が切れず、ハサミやニッパー様のもので爪を切ることから怪我や痛みを伴うことも屡々であった。
変形した爪でも切れるものはないのか。
【課題を解決するための手段】
【０００４】  上記課題を達成するために、爪が入る刃の間隔を広げ、容易に厚みのある爪でも入るようにした。つまり、図面の調整ナット３を設けることにより、刃の間隔を広げたり狭めたり出来るようにした。
【考案の効果】
【０００５】  本考案は、上述の通り構成されているので、次に記載する効果を奏する。
本考案の介護用広口調整爪切りは普通一般の方の爪から厚みのある爪まで、調整ナット３を回すことにより刃の間隔を大にも小にも調整する事が可能となり、どのような爪も受入れ切断出来る様にした。
【考案を実施するための最良の形態】
【０００６】  本考案の介護用広口調整爪切りの使用法は、従来の爪切りと大差は無い。ただ、厚みのある爪から薄い爪まで切る事が可能で、それには、相手の爪に合わせるため調整ナット３が設けられており、これを左右に回すことにより、刃の間隔を厚くにも薄くにもすることが出来るのである。【０００７】  切りたい爪に刃の間隔を合わせることにより、厚みのある爪、薄い爪というように調整すればオールマイティーに使用可能である。
【実施例】
【０００８】    実施例について図面を参照して説明する。
介護用広口調整爪切りは、相手の爪を確認し、次に爪切り切断部の刃２の上下間に入るように調整ナット３を回すが、薄い爪には右に、厚い爪には左にゆるめるように回して合わせる。そしてアーム７を介護用広口調整爪切り本体１に近づければ爪切りバネ板上方５が下がりテコにより中央シャフト４が上方に上がり、上下の刃が合って爪が切れる。つまり、切るという点では従来の爪切りと同じである。
【図面の簡単な説明】
【０００９】
【図１】  本考案の、介護用広口調整爪切り本体の斜視図である。
【図２】  本考案の、介護用広口調整爪切りの側面図である。
【符号の説明】
【０００１０】１  介護用広口調整爪切り本体である。
２  爪切り切断部の刃
２−１  上方
２−２  下方
３  調整ナット
４  中央シャフト
５  爪切りバネ板上方
６  爪切りバネ板下方
７  アーム
８  テコ
【図１】
0003163991.tif 000003
【図２】
0003163991.tif 000004
(57)【要約】      （修正有）【課題】持ち手の厚さや硬さに関係なく簡単に仮止めでき、しっかり固定できる持ち手固定ピンを提供する。【解決手段】固定ピン１を従来のコサージュピンの受け具２に装着することで、針で掬いあげなくてもかばんと持ち手を貫通させて止められるようにした。持ち手の厚さや硬さに関係なく、簡単にしっかりと固定することが出来るので、持ち手の縫い付けが楽に綺麗に出来る。【選択図】図３
0003163971.tif 000002
【実用新案登録請求の範囲】
【請求項１】
固定ピン１をコサージュピンの受け具２に装着して使うことで、針を掬いあげる方法ではなく、かばんと持ち手を貫通させて止められるようにした。
【請求項２】
持ち手の厚いもから薄い物まで対応出来るように、固定ピンとコサージュピンの受け具の長さバランスを考えた。
【考案の詳細な説明】
【考案の概要】
【考案が解決しようとする課題】
【０００１】  手縫いでかばんに持ち手を縫い付ける際、通常仮止めとして待ち針や安全ピンを使用するが、持ち手の厚い物や硬い物になると持ち手を針で掬い上げる事が出来ず、しっかりと固定出来ないという問題点があった。
【課題を解決するための手段】
【０００２】  固定ピン１をコサージュピンの受け具２に装着して使うことで、針を掬いあげる方法ではなく、かばんと持ち手を貫通させて止められるようにした。【０００３】  持ち手の厚いもから薄い物まで対応出来るように、固定ピンとコサージュピンの受け具の長さバランスを考えた。
【考案の効果】
【０００４】  持ち手の厚さや硬さに関係なく、簡単にしっかりと固定することが出来るので、持ち手の縫い付けが楽に綺麗に出来る。
【図面の簡単な説明】
【図１】  かばんに持ち手を仮止めした時の斜視図である。
【図２】  固定ピンをコサージュピンの受け具に装着していないときの平面図である。
【図３】  かばんに持ち手を仮止めした時の断面図である。
【符号の説明】  １、固定ピン
２、コサージュピンの受け具
【図１】
0003163971.tif 000003
【図２】
0003163971.tif 000004
【図３】
0003163971.tif 000005
【手続補正書】
【提出日】平成22年8月19日(2010.8.19)
【手続補正１】
【補正対象書類名】実用新案登録請求の範囲
【補正対象項目名】全文
【補正方法】変更
【補正の内容】
【実用新案登録請求の範囲】
【請求項１】
かばん本体と持ち手とを縫い付ける際に、かばん本体と持ち手とを仮止めするための持ち手固定ピンであって、固定ピン１と固定ピン１の先端を覆うコサージュピンの受け具２とを有する持ち手固定ピン。
(57)【要約】      （修正有）【課題】日常生活、社会生活の中において、一対にして携帯する必要が多い拡大鏡と鏡を保護ケースに納めたセットを提供する。【解決手段】外傷から守るための内部枠がついている拡大鏡と鏡の２種類を重ね、保護ケースにもうけられた軸栓に軸栓を基点にそれぞれを回転させながら動かせるようにとりつけ、保護ケースに収めて携帯用拡大鏡、鏡セットを構成する。【選択図】図１
0003163974.tif 000002
【実用新案登録請求の範囲】
【請求項１】
拡大鏡と鏡を組み合わせてセットにして、携行に便利なサイズとし、形は任意な形状とする。外傷から守るためそれぞれに内部枠、外部は保護ケースに納め、軸栓を支点に回転して取り出す仕組みとする。
【考案の詳細な説明】
【考案の概要】
【考案が解決しょうとする課題】
【０００１】便利さと簡素化が要求される煩雑な日常生活、社会生活をしている。特に任意の場所で文字を読み取る、又小さい物を捜す等少しのことで眼鏡をかける等面倒なことが多い。
又、身だしなみを見る、見えにくい箇所を見る等の時、鏡を携帯してない時が多い。
そのため正確性が欠け大変不便である。
【考案が解決するための手段】
【０００２】現在は正確性、スピード化が要求されている。しかし、今は拡大鏡と鏡が別々となっている。そのため、これをセットにし、いつでも携帯できるようにすれば、大変便利である。
図２のｄ保護ケースにａ拡大鏡、ｂ鏡を納めた状態で携帯し、使用する時は図１、図３のようにｅ又はｇ部を指で押し、取出し使用する。ａとｂは保護ケースのｃ軸栓に取付けられ、回転して取り出す。ｄ保護ケースは、樹脂製又は革製等で、ａとｂを保護しｃ軸に取りつけられ、回転する。ｆ吊りは、脱落防止のため、紐等の取付口とする。
【考案の効果】
【０００３】拡大鏡と鏡は日常生活、社会生活には不可欠である。拡大鏡と鏡をセットにし携行すすれば、身だしなみや、奥狭い箇所、小物を捜す等如何なる時でも即使用できる。
これにより、現在の不便さを解消できる。
【図面の簡単な説明】
【０００４】
【図１】取り出した状態の図である。
【図２】納めた状態の図である。
【図３】取り出した状態の図である。
【符号の説明】
【０００５】［ａ］
拡大鏡である。
［ｂ］
鏡である。
［ｃ］
軸栓である。
［ｄ］
保護ケースである。
［ｅ］
取り出し突起である。
［ｆ］
吊りである。
［ｇ］
取り出し口である。
【図１】
0003163974.tif 000003
【図２】
0003163974.tif 000004
【図３】
0003163974.tif 000005
【手続補正書】
【提出日】平成22年9月8日(2010.9.8)
【手続補正１】
【補正対象書類名】実用新案登録請求の範囲
【補正対象項目名】全文
【補正方法】変更
【補正の内容】
【実用新案登録請求の範囲】
【請求項１】
外傷から守るための内部枠がついている拡大鏡と鏡の２種類を重ね、保護ケースにもう
けられた軸栓に軸栓を基点にそれぞれを回転させながら動かせるようにとりつけられ、保
護ケースに収めた携帯用拡大鏡、鏡セット
(57)【要約】      （修正有）【課題】書類をはさむファイルの開放側に書類がはみ出たり、脱落又は紛失を防止する書類の脱落防止用ロック付きファイルを提供する。【解決手段】ポリプロピレン等で作られた２枚重ねの閉じた状態の書類保管ファイルで、表面途中に１〜２カ所半円的な形状の切り込みを入れ、裏面切り取り部にワンタッチで容易に引っ掛けてロック、開閉することができる。【選択図】図１−３
0003163973.tif 000002
【実用新案登録請求の範囲】
【請求項１】
ポリプロピレン等で作られた書類保管ファイルで、表面途中に１〜２ヶ所半円的な形状の切り込みを入れ、裏面切り取り部にワンタッチで容易に引っ掛けてロックすることができ、書類の脱落防止をすると共に、ファイルを開閉することにも役立つものである。
【考案の詳細な説明】
【考案の概要】
【考案が解決しょうとする課題】
【０００１】  ファイルで書類保管時又は携行時等、取扱い時に重要書類がファイルから抜け出て紛失する可能性があり、取り扱いに注意を要する必要がある。
【考案が解決するための手段】
【０００２】ファイルは図１−２のように２枚重ねの閉じた状態で、図１−１のように側方が折り曲げ、下方が接着部となり残りの２辺Ａ、Ｂが２方開きとなっている。そのため、間に書類等を入れて、挟み込むだけでは、２辺の開放部から書類がはみ出したり、脱落する恐れがある。これを防止するためＡ開放部途中にＣのような半円的な形状の切り込みを入れ、図１−４ファイルＢの切り取り部Ｅに引っ掛けロックし、脱落防止をする。
【考案の効果】
【０００３】ファイル内の書類の脱落防止をするため、ポリプロピレン等の素材の弾力を活かし、図１−３Ｄのファイル開閉兼ロック部を指で押し下げれば、図１−４Ｅの切り取り部にＤが自然に入りこみ図１−５のように簡単にロックでき脱落防止ができる。また、材料は切り取り部が少なく損失が少ない。ファイルを開けるには図１−５Ｄのファイル開閉兼ロック部を押し下げ、図１−５Ｅ部のロックを外すことにより、簡単に開放できる。図面２は、ファイル開閉兼ロック部の取扱い図とする。
【図面の簡単な説明】
【０００４】
【図１−１】ファイルを開いた見取図である。
【図１−２】ファイルを閉じた測面図である。
【図１−３】ファイル表面の平面図である。
【図１−４】ファイル（裏面）の平面図である。
【図１−５】ファイルロック状態（裏面）の平面図である。
【図２−１】Ｄ部を押し下げ、Ｅ部に引っ掛ける動作の断面図である。
【図２−２】Ｄ部ロック図である。
【図２−３】Ｄ部取扱図である。
【符号の説明】
【０００５】［Ａ］
ファイルの表面である。
［Ｂ］
ファイルの裏面である。
［Ｃ］
切り込み部である。
［Ｄ］
ファイル開閉兼ロック部である。
［Ｅ］
切り取り部である。
【図１−１】
0003163973.tif 000003
【図１−２】
0003163973.tif 000004
【図１−３】
0003163973.tif 000005
【図１−４】
0003163973.tif 000006
【図１−５】
0003163973.tif 000007
【図２−１】
0003163973.tif 000008
【図２−２】
0003163973.tif 000009
【図２−３】
0003163973.tif 000010
【手続補正書】
【提出日】平成22年9月8日(2010.9.8)
【手続補正２】
【補正対象書類名】実用新案登録請求の範囲
【補正対象項目名】全文
【補正方法】変更
【補正の内容】
【実用新案登録請求の範囲】
【請求項１】
ポリプロピレン等で作られた２枚重ねの閉じた状態の書類保管ファイルで、表面途中に
１〜２カ所半円的な形状の切り込みを入れ、裏面切り取り部にワンタッチで容易に引っ掛
けてロック、開閉することができる書類の脱落防止用ロック付きファイル
(57)【要約】      （修正有）【課題】所定形状のガラス構造体の中に遺骨をそのままの形で封入させたことで、遺骨を見る時に故人への心情に対する慰めとなる骨壷を提供する。【解決手段】骨壷は、比較的大きな欠片状の遺骨を中心部に封入したガラス構成体からなり、遺骨２を覆う第１ガラス層４と、第１ガラス層４を覆う第２ガラス層１と、第１ガラス層４と第２ガラス層との間に設けられた色ガラス又は箔などからなる装飾部とで構成され、全体として雫型の形状である。ガラスの窪みに遺骨を入れ、入り口を直ちに温度管理作業の低温状態により閉じることで、ガラスの中に遺骨をそのままの形で封入させる。【選択図】図１
0003163930.tif 000002
【実用新案登録請求の範囲】
【請求項１】
所定形状のガラス構成体の中に遺骨をそのままの形で封入させたことを特徴とする骨壷。
【請求項２】
前記遺骨は比較的大きな欠片状の遺骨であり、前記ガラス構成体の中心部に埋め込まれていることを特徴とする請求項１に記載の骨壷。
【請求項３】
前記ガラス構成体は、前記遺骨を被覆する第１ガラス層と、第１ガラス層を覆う第２ガラス層とを含み、前記第1ガラス層と前記第２ガラス層との間に色ガラス又は箔からなる装飾部を有することを特徴とする請求項１に記載の骨壷。
【考案の詳細な説明】
【技術分野】
【０００１】
本考案は、ガラスの中に遺骨を封入させた骨壷に関する。
【背景技術】
【０００２】
従来のガラスの中に遺骨を封入させた骨壷の場合、温度管理の困難さから封入する遺骨を粉粒状としている。
【先行技術文献】
【特許文献】
【０００３】
【特許文献１】実用新案登録第３１１２５０１号公報
【考案の概要】
【考案が解決しようとする課題】
【０００４】
上記の従来の骨壺では、封入される遺骨が粉粒状であるため、外観上、遺骨を見る時に故人への心情に対する慰めに欠ける。
【課題を解決するための手段】
【０００５】
本考案の骨壷は、ガラスの中に遺骨をそのままの形で封入させることを特徴とする。
【考案の効果】
【０００６】
本考案のガラスの中に遺骨をそのままの形で封入させた骨壷は、利用者がいつでも大切な人やペットと一緒にいられるという心情が持てるという利点がある。
【図面の簡単な説明】
【０００７】
【図１】図１はガラスの中に遺骨をそのままの形で封入させた骨壷の実施方法を示した説明図である。（実施例１）
【図２】図２はガラスの中に遺骨をそのままの形で封入させた骨壷の内部構造を説明する断面図である。
【図３】図３はガラスの中に遺骨をそのままの形で封入させた骨壷を製造する工程を示す図である。
【図４】図４はガラスの中に遺骨をそのままの形で封入させた骨壷を製造する工程を示す図である。
【図５】図５はガラスの中に遺骨をそのままの形で封入させた骨壷を製造する工程を示す図である。
【図６】図６はガラスの中に遺骨をそのままの形で封入させた骨壷を製造する工程を示す図である。
【図７】図７はガラスの中に遺骨をそのままの形で封入させた骨壷を製造する工程を示す図である。
【図８】図８はガラスの中に遺骨をそのままの形で封入させた骨壷を製造する工程を示す図である。
【考案を実施するための形態】
【０００８】
本考案の骨壷の概要は涙にぬれた遺骨の思いをいつでもそのまま見ることの出来る涙の雫型の骨壷として構成する。
【０００９】
図１は、本考案の骨壺を示し、比較的大きな欠片状の遺骨を中心部に封入したガラス構成体からなり、遺骨２を覆う第１ガラス層４と、第１ガラス層４を覆う第２ガラス層１と、第１ガラス層４と第２ガラス層との間に設けられた色ガラス又は箔などからなる装飾部とで構成され、全体として雫型の形状である。
【実施例１】
【００１０】
図２は、本考案の骨壷の図１の断面図であって、本考案骨壷の製造する工程を図３から図８に示す。
【００１１】
図３に示す加工用の棹に溶融したガラスを巻き取り球形になる様に成形する。
【００１２】
図４になる様に球形から中心に遺骨の入る大きさの窪みを成形しその中に入れる。
【００１３】
ガラスの窪みに遺骨を入れ、入り口を直ちに温度管理作業の低温状態（８００度）により閉じることで図５の様に遺骨を封入させる。
【００１４】
図５に示す成形されたガラスにもう一度ガラスを巻き取り、本骨壷のデザイン模様となる装飾部を溶着させる。（図６）
図６に示すガラスの上に更にもう一度ガラスを巻きつけると図７の様な形状となる。
【００１５】
この段階でガラスは３重構造になっており成形の最終工程として雫型に変形させる。
【産業上の利用可能性】
【００１６】
本考案は、ガラスの中に遺骨をそのままの形で封入させた骨壷を製造する産業で利用される。
【符号の説明】
【００１７】
１    第２ガラス層
２    遺骨（原型のまま）
３    装飾部（色ガラス又は箔等）
４    第１ガラス層
５    棹
【図１】
0003163930.tif 000003
【図２】
0003163930.tif 000004
【図３】
0003163930.tif 000005
【図４】
0003163930.tif 000006
【図５】
0003163930.tif 000007
【図６】
0003163930.tif 000008
【図７】
0003163930.tif 000009
【図８】
0003163930.tif 000010
(57)【要約】      （修正有）【課題】硬式テニスボールを確実に保持する事を目的とする、ボールホルダーを提供する。【解決手段】硬式テニスボール１を確実に保持するボールホルダー。硬式テニスボール１を確実に保持固定する事と、効果発揮に求められる弾力性を両立させる為、ボールホルダー先端部のボールカップ２を硬式テニスボール１の寸法誤差に対応させるべく、幅５５〜７０ｍｍ、深さ２０〜５０ｍｍの範囲内の寸法にて成型する。ボールホルダーを確実に保持する為にボールホルダーボディー３へ、手持ちグリップ４を設ける。より安定した入力を実現する為に、ボールホルダーボディー３底部に、サポートブロック５を設ける。【選択図】図１
0003163965.tif 000002
【実用新案登録請求の範囲】
【請求項１】
下記（イ）（ロ）（ハ）（ニ）の特徴を有したボールホルダー（６）
（イ）硬式テニスボール（１）を確実に保持するボールホルダー（６）。
（ロ）硬式テニスボール（１）を確実に保持固定する事と、考案の効果発揮に求められる      、弾力性を両立させる為、ボールホルダー（６）先端部のボールカップ（２）を硬      式テニスボール（１）の寸法誤差に対応させるべく、幅５５〜７０ｍｍ、深さ２０      〜５０ｍｍの範囲内寸法にて成型する。
（ハ）ボールホルダー（６）を確実に保持する為にボールホルダーボディー（３）へ、手      持ちグリップ（４）を設ける。
（ニ）より安定した入力を実現する為に、ボールホルダーボディー（３）底部に、サポー      トブロック（５）を設ける。
【考案の詳細な説明】
【技術分野】
【０００１】本考案は、硬式テニスボールを確実に保持する事を目的とする、ボールホルダーに関するものである。
【背景技術】
【０００２】従来、妊婦の陣痛軽減の為、妊婦以外の第三者により、硬式テニスボールを妊婦の肛門付近に押し付ける対処方法が広く知られている。この対処方法に使用されるボールは、硬式テニスボールの硬さが最適であり、近似するサイズの他競技使用ボールでは柔らかすぎたり、硬すぎたりと不適切である。
【考案の開示】
【考案が解決しようとする課題】
【０００３】これらには次の様な問題点があった。
（イ）硬式テニスボールを妊婦の肛門付近へ押し付けるには、第三者の協力が必要となる      。直径７センチ弱の硬式テニスボールを手で握り、腕力にのみ頼った状態で長時間      妊婦の肛門付近に押し付ける事となる協力者には握力や腕力消耗等、多大な労力負      担が必要となる。
本考案はこれらの問題点を取り除く為になされたものである。
【課題を解決するための手段】
【０００４】（イ）硬式テニスボール（１）を確実に保持するボールホルダー（６）。
（ロ）硬式テニスボール（１）を確実に保持固定する事と、考案の効果発揮に求められる      、弾力性を両立させる為、ボールホルダー（６）先端部のボールカップ（２）を硬      式テニスボール（１）の寸法誤差に対応させるべく、幅５５〜７０ｍｍ、深さ２０      〜５０ｍｍの範囲内寸法にて成型する。
（ハ）ボールホルダー（６）を確実に保持する為にボールホルダーボディー（３）へ、手      持ちグリップ（４）を設ける。
（ニ）より安定した入力を実現する為に、ボールホルダーボディー（３）底部に、サポー      トブロック（５）を設ける。
【考案の効果】
【０００５】（イ）硬式テニスボール（１）が、ボールカップ（２）に保持される事により、協力者は      直接硬式テニスボール（１）を握る事無く妊婦の肛門付近に硬式テニスボールを押      し付ける事が可能となる為、協力者の握力負担が軽減される。
（ロ）手持ちグリップ（４）を使用する事により、協力者はボールを直接握る事無く、妊      婦の肛門付近に硬式テニスボール（１）を押し付ける事が可能となる為、協力者の      腕力負担が軽減される。
（ハ）ボールホルダー（６）底部のサポートブロック（５）に協力者の膝をあてがう事に      より、協力者は妊婦の肛門付近へ硬式テニスボール（１）をより長い時間、安定し      た力で押し付ける事が可能となる。
【考案を実施するための最良の形態】
【０００６】以下本考案の実施例について説明する。
（イ）硬式テニスボール（１）を確実に保持するボールホルダー（６）。
（ロ）硬式テニスボール（１）を確実に保持固定する事と、考案の効果発揮に求められる      、弾力性を両立させる為、ボールホルダー（６）先端部のボールカップ（２）を硬      式テニスボール（１）の寸法誤差に対応させるべく、幅５５〜７０ｍｍ、深さ２０      〜５０ｍｍの範囲内寸法にて成型する。
（ハ）ボールホルダー（６）を確実に保持する為にボールホルダーボディー（３）へ、手      持ちグリップ（４）を設ける。
（ニ）より安定した入力を実現する為に、ボールホルダーボディー（３）底部に、サポー      トブロック（５）を設ける。
【図面の簡単な説明】
【０００７】
【図１】本考案使用時の正面図である。
【図２】本考案の正面図である。
【符号の説明】
【０００８】１  硬式テニスボール
２  ボールカップ
３  ボールホルダーボディー
４  手持ちグリップ
５  サポートブロック
６  ボールホルダー
【図１】
0003163965.tif 000003
【図２】
0003163965.tif 000004
【手続補正書】
【提出日】平成22年8月18日(2010.8.18)
【手続補正２】
【補正対象書類名】実用新案登録請求の範囲
【補正対象項目名】全文
【補正方法】変更
【補正の内容】
【実用新案登録請求の範囲】
【請求項１】
硬式テニスボール（１）を保持するボールホルダーにおいて、ボールホルダー（６）は、テニスボール（１）を保持する椀状のボールカップ（２）、握り手となる、棒状でボールホルダーボディー（３）の水平左右に配置される手持ちグリップ（４）、手持ちグリップ（４）とボールカップ（２）を接続する部分となるボールホルダーボディー（３）、ボールホルダーボディー（３）の底部に配置されるサポートブロック（５）により構成され、硬式テニスボール（１）を保持する為、ボールカップ（２）を硬式テニスボール（１）の規格寸法誤差に対応させるべく、開口部の幅５５〜７０ｍｍ、深さ２０〜５０ｍｍの範囲内寸法にて成型する事を特徴とするボールホルダー。
(57)【要約】      （修正有）【課題】現在、液体調味料では、ボトルの注ぎ口のキャップを外し、計量スプーンの準備、計量、計量スプーンの洗浄、これを調味種類だけ繰り返し、最後に計量スプーンを格納している。そこで計量スプーンに替わる液体調味料ボトルの計量キャップを提供する。【解決手段】液体調味料ボトルのキャップを、内容量１５ｃｃとなるよう構成、キャップの内面に内容量５ｃｃとなる位置にメモリを付す。このキャップにより計量スプーンに替わり１５ｃｃ・５ｃｃが正確に計測できる。料理人は計量キャップの利用で計量スプーンは使わず、取出・洗浄・格納の手間の削減と調理の煩わしさの軽減となる。【選択図】図１
0003163962.tif 000002
【実用新案登録請求の範囲】
【請求項１】
醤油、酢、味醂、酒、油の液体調味料のボトルの注ぎ口の、ＰＥＴ・プラスチック・樹脂・金属・紙・植物素材による形成品製などの計量キャップ（図１）は内容量１５ｃｃの容量を持ち、さらにキャップ内面に内容量５ｃｃとなる位置に識別できる５ｃｃ計量線１を持つ事によって１５ｃｃ・５ｃｃが計量可能となる特徴を持つ構造。
【請求項２】
計量キャップ内側（内面）は液体調味料が流出しやすい様に突起のない曲面と平面の組み合わせで出来る形状となる特徴を持ち、計量キャップ外側（外面）に計量キャップ・１５ｃｃ・５ｃｃの文字２を表示した特徴をもつ構造
【請求項３】
液体調味料ボトルの注ぎ口と計量キャップの接合はネジ込型（図２）または圧着型（図３）があり、ボトル本体側に液体調味料の液だれを溜める為の液受け仕切り３を設けた特徴をもつ構造。
【考案の詳細な説明】
【技術分野】
【０００１】  本考案は料理人が料理レシピを利用し調理する場合に、液体調味料を市販の計量スプーンで計量する手間をなくし、液体調味料ボトルに装備された器具を利用することで、容易に正確に計量作業を行える計量キャップの構造に係わる。
【背景技術】
【０００２】  若年層の家庭料理のグルメ志向や高齢男性の厨房志向の増加により、各種の料理レシピが利用されている。料理レシピでは液体調味料等の計量を市販の計量スプーンを前提に説明がなされている。
実際の液体調味料の使用にあたっては、計量スプーンを準備、ボトルのキャップを外す、計量、計量スプーンの洗浄、の手順を調味種類の数だけ繰り返した上で、計量スプーンの格納となる。計量スプーンによる計量は結構煩わしい作業であり、特に高齢男性の調理の意識を減退させてしまう。
もっと、容易に計量できる工夫が必要である。
【考案の概要】
【０００３】  市販の液体調味料ボトルには量を計測する機能が備わっていない為、計量の都度専用の計量スプーンを介して進めなければならない。液体調味料が変わるごとに計量スプーンの洗浄も必要となる。
本考案では市販の液体調味料ボトルの注ぎ口のキャップ（注ぎ口の蓋）に量を計測する機能を持たせることで、計量スプーンに替わる計量キャップの提供を目的とする。
【課題を解決するための手段】
【０００４】  市販の液体調味料ボトルのキャップを統一し、内容量１５ｃｃの容量を持つ計量キャップ（図１）に替える。キャップ１杯で計量スプーン大１杯の１５ｃｃが計量できる。さらに計量キャップの内側（内面）に内容量５ｃｃとなる位置に識別可能な５ｃｃ計量線１を表示しておく。これにより計量スプーン小１杯の５ｃｃが計量できる機能を持つ。【０００５】  計量キャップの内側（内面）は、計量時に液体調味料が残らないよう流出しやすい必要があるので、抵抗を減らすため球面と平面を組み合わせた形状とし突起個所が無い構造とする。計量キャップの外側（外面）には、このキャップが計測機能を持っている事を認識させる為の、計量キャップ・１５ｃｃ・５ｃｃの文字２を表示した構造を持つ。【０００６】  液体調味料ボトルの注ぎ口と計量キャップの接合は、液体調味料ボトルの注ぎ口と計量キャップ双方にネジ山を設けたネジ込型（図２）、または液体調味料ボトルの注ぎ口と計量キャップの材料の弾力性を利用した圧着型（図３）の構造を持つ。
接合部分の外側には、液体調味料の液だれを溜める為の液受け仕切り３を設けた構造を持つ。
【考案の効果】
【０００７】  本考案の最大の効果は、液体調味料の使用時に都度計量スプーンを必要とせず、液体調味料ボトルに備えられた計量キャップで容易に計量できることである。
今日まで料理人誰もが行っていた、計量スプーンの取出し、使用後の洗浄、計量スプーンの格納の為の手間が全く不要となる。【０００８】  特に高齢者が液体調味料を使う時に、そのボトルが有れば容易に正確に計量できることで、調理の煩わしさが無くなり料理人に易しい商品として喜ばれるはずである。
【図面の簡単な説明】
【０００９】
【図１】本考案の計量キャップの概念図として、計量キャップの上面図・断面図・下面図
【図２】ネジ込型（液体調味料ボトルの注ぎ口と計量キャップの接合図）の断面図
【図３】圧着型（液体調味料ボトルの注ぎ口と計量キャップの接合図）の断面図
【符号の説明】
【００１０】１――――５ｃｃ計量線（表示線）
２――――計量キャップ・１５ｃｃ・５ｃｃの文字（文字表示）
３――――液受け仕切り
【図１】
0003163962.tif 000003
【図２】
0003163962.tif 000004
【図３】
0003163962.tif 000005
【手続補正書】
【提出日】平成22年8月18日(2010.8.18)
【手続補正１】
【補正対象書類名】実用新案登録請求の範囲
【補正対象項目名】全文
【補正方法】変更
【補正の内容】
【実用新案登録請求の範囲】
【請求項１】
醤油、酢、味醂、酒、油の液体調味料のボトルの注ぎ口の、ＰＥＴ・プラスチック・樹脂・金属・紙・植物素材による形成品製などの計量キャップは内容量１５ｃｃの容量を持ち、さらにキャップ内面に内容量５ｃｃとなる位置に識別できる５ｃｃ計量線（１）を持つ事によって１５ｃｃ・５ｃｃの計量可能を特徴とする計量スプーンに替わる液体調味料ボトルの計量キャップ。
【請求項２】
計量キャップ内側（内面）は液体調味料が流出しやすい様に突起のない曲面と平面の組み合わせで出来る形状となる特徴を持ち、計量キャップ外側（外面）に計量キャップ・１５ｃｃ・５ｃｃの文字（２）の表示を特徴とする請求項１記載の計量キャップ。
【請求項３】
液体調味料ボトルの注ぎ口と計量キャップの接合は、ボトルの注ぎ口の内側ネジ山と計量キャップの外側ネジ山を利用したネジ込型、またはボトルの注ぎ口と計量キャップの材質の摩擦を利用した圧着型があり、ボトルの注ぎ口には液体調味料の液だれを溜める為の液受け仕切り（３）を設けた特徴とする請求項１記載の計量キャップ。
(57)【要約】      （修正有）【課題】人体バスト・ダーツ量計測を個人技術に依存せず、万人が正確に計測することを可能とする計測器を提供する。【解決手段】人体計測器は、Ｌ型定規で短尺１は、ミリ，センチの１５ｃｍ目盛を付けその１５ｃｍ目盛位置２に０.５ｍｍの切り込み２を入れ糸道とし、先端中央部３に３ｍｍほどの穴を開け、計測用糸４をＬ型定規内側５の位置で固定し、その計測用糸の先端４５ｃｍに重り６を取り付ける。長尺７は、同一半径における円と円錐底円の円周差並びに、三角関数で割り出した７.５ｃｍ当たりの人体バスト・ダーツ量を１ｍｍ単位で長尺７に目盛を付ける。【選択図】図４
0003163961.tif 000002
【実用新案登録請求の範囲】
【請求項１】
人体バスト・ダーツ量計測を同一半径における円と円錐底円の円周差並びに三角関数によって計算した数値をＬ型定規に目盛付け設定し、重りを取付けた垂直下糸で直接計測出来る計測器。
【考案の詳細な説明】
【技術分野】
【０００１】
本考案は、人体の胸傾斜によるバスト・ダーツ量の計測に関するもの。
【背景技術】
【０００２】
従来人体バスト・ダーツ量の決定は、人体に直接布地を当て求めるか、部位計測の組み合わせで求めていた。
【０００３】
しかし、バスト・ダーツ量決定の従来方法では、計測者に熟練が必要であると共に個々の計測値にバラツキも多い問題があった。
【０００４】
図１,図２に示される、同一半径における円と円錐底円の円周差は、円錐が作り出す傾斜角度と相関関係にある事。
【０００５】
衣服に関して人体バスト・ダーツ量は、布地を胸に添わせバスト・トップから直下に布地落とすときに布地を折りたたんでバスト・ダーツ量決定する方法がとられる。
【０００６】
以上のことから、図３の人体における斜線部分に円錐が形成されるので、バスト・ダーツ量を計算することが可能である。
【考案の概要】
【考案が解決しようとする課題】
【０００７】
解決しようとする問題点は、計測者の個人技術や複雑な計算によらなければ、正確に人体バスト・ダーツ量計測できない点である。
【課題を解決するための手段】
【０００８】
本考案は、人体のバスト・ダーツ量を同一半径における円と円錐低円の円周差並びに、三角関数によって計算した数値をＬ型定規上に目盛付け設定し重りを取り付けた垂直下糸との交点で直接人体バスト・ダーツ量計測を行うことで簡易性や精度の向上が図られ上記の課題を解決する。
【考案の効果】
【０００９】
本考案は、人体バスト・ダーツ量割り出しを、人体に布を当てて、おこなう方法の不確実さや、部位計測の組み合わせから計算の乱雑さから迅速確実に直接計測することができ携帯にも優れている。
【図面の簡単な説明】
【００１０】
【図１】図１は同一半径における円と円錐の関係。
【図２】図２は同一半径における円と円錐の関係。
【図３】図３は人体における円錐位置。
【図４】図４は人体バスト・ダーツ量計測器である。
【図５】図５は人体バスト・ダーツ量の計測方法である。（実施例１）
【考案を実施するための形態】
【００１１】
本考案の人体計測器は、図４に示されるようにＬ型定規で短尺１は、ミリ，センチの１５ｃｍ目盛を付けその１５ｃｍ目盛位置２に０.５ｍｍの切り込みを入れ糸道とし、先端中央部３に３ｍｍほどの穴を開け、計測用糸４をＬ型定規内側５の位置で固定し、その計測用糸の先端４５ｃｍに重り６を取り付けます。長尺７は、同一半径における円と円錐底円の円周差並びに、三角関数で割り出した７.５ｃｍ当たりの人体バスト・ダーツ量を１ｍｍ単位で目盛を付けます。
【実施例１】
【００１２】
図４は、人体バスト・ダーツ量計測方法、人体胸傾斜にＬ型定規の角側を上に長尺７を当て、計測用糸４を切り込み位置２に通して計測用糸４長尺７の交点目盛にて７.５ｃｍ当たりのバスト・ダーツ量として直接計測します。
【符号の説明】
【００１３】
１    短尺
２    糸道用切り込み
３    糸留め用穴
４    計測用糸
５    糸留め位置
６    重り
７    目盛付けした長尺
【図１】
0003163961.tif 000003
【図２】
0003163961.tif 000004
【図３】
0003163961.tif 000005
【図４】
0003163961.tif 000006
【図５】
0003163961.tif 000007
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
Ｌ型定規の短尺先端に重りを付けた糸を取り付け、長尺には人体バスト・ダーツ量計測可能な目盛をもうけた計測器。
(57)【要約】      （修正有）【課題】少しの衝撃などでは滑り難く外れ難いフック付チェーンと木型を提供する。【解決手段】フック付チェーンのフックにくぼみを付けることにより、外れにくく、その内側に割れ目の入った赤色の木型をはめ込むことで、フックとチェーンの絡みをなくすことができる。フック内側にぴたりとはまる半分まで割れ目の入った木型３を作り、割れ目の外側を押さえながらフック内側にはめ込み、フック内側に隙間をつくらなくする。このことにより、フックの引っかかり先がなくなり、フックとチェーンが絡まなくなる。またこの木型は小さいため、目立つように赤色に塗装を施す。【選択図】図３
0003163502.tif 000002
【実用新案登録請求の範囲】
【請求項１】
フック付チェーンのフックの引っ掛け先カーブ内にくぼみを付け、そのくぼみと反対側の重心がかかる場所を、強度を増すために広くした、くぼみ付きフック付きチェーン。
【請求項２】
くぼみ付きフック付きチェーンのフックの内側に、ぴったりはめ込む半分まで割れ目の入った赤色木型。
【考案の詳細な説明】
【背景技術】
【０００１】  従来より使用されているフック付チェーンは、フックの内側にくぼみが無くストレートのため、少しの衝撃などで滑りやすく外れやすい。その為、フックをセットした上からガムテープでぐるぐる巻きに固定して使用している。また、使用していないときのフック付チェーンは、一緒にまとまって保管をしているため、使用時に出すとき、フックとチェーンが絡まって出しにくく、相当の時間がかかります。
【考案を実施するための最良の形態】
【０００２】  フックの内側にくぼみ１を付けることにより、滑りにくく外れにくくし、そのくぼみの反対側の重心がかかるフックの外側２を広くして、強度を増します。使用していないときのフック付チェーンは、まとめて保管しているため、取り出すときにフックとチェーンが絡みつき時間がかかります。それを防ぐためにフック内側にぴたりとはまる半分まで割れ目の入った木型３を作り、割れ目の外側を押さえながらフック内側にはめ込み、フック内側に隙間をつくらなくします。このことにより、フックの引っかかり先がなくなり、フックとチェーンが絡まなくなります。またこの木型は小さいため、目立つように赤色に塗装を施します。
【図面の簡単な説明】
【０００３】
【図１】  本考案にかかるくぼみ付きフック付きチェーン。
【図２】  本考案にかかる割れ目の入った木型。
【図３】  本考案にかかる割目の入った木型とくぼみ付きフック付チェーンの合体
【符号の説明】
【０００４】  くぼみ付きフック付きチェーン            １０
くぼみ付きフック                          １
強度増すために広くした重心位置            ２
半分まで割れ目の入った赤色木型            ３
【図１】
0003163502.tif 000003
【図２】
0003163502.tif 000004
【図３】
0003163502.tif 000005
【手続補正書】
【提出日】平成22年7月20日(2010.7.20)
【手続補正１】
【補正対象書類名】実用新案登録請求の範囲
【補正対象項目名】請求項２
【補正方法】変更
【補正の内容】
【請求項２】
請求項１に記載された、くぼみ付きフック付きチェーンのフックの内側に、ぴったりはめ込む半分まで割れ目の入った赤色木型。